(57)【特許請求の範囲】
【請求項１】
コアに巻装された一次コイルと二次コイルと、半導体素子を含んで構成され該半導体素子に入力される制御電圧により出力電圧が可変調整される電圧調整回路とを備えてなるフライバックトランスにおいて、
前記一次コイルに巻き上げられて前記電圧調整回路の電圧調整範囲分の電圧を発生させる電源コイルと、この電源コイルで発生した電圧を可変調整する前記電圧調整回路と、前記コアの二次側に巻かれて前記電圧調整回路で可変調整された電圧をフォーカス電圧に高める中圧コイルとを有することを特徴とするフライバックトランス。
【請求項２】
コアに巻装された一次コイルと二次コイルと、半導体素子を含んで構成され該半導体素子に入力される制御電圧により出力電圧が可変調整される電圧調整回路とを備えてなるフライバックトランスにおいて、
前記二次コイルの低圧端側に電圧調整回路が接続されて二次コイルが電圧調整回路に電圧調整範囲分の電圧を印加する電源コイルとして兼用されており、電圧調整回路の出力側には前記コアに対し二次側に巻かれて電圧調整回路で可変調整された電圧をフォーカス電圧に高める中圧コイルが接続されていることを特徴とするフライバックトランス。
【請求項３】
コアに巻装された一次コイルと二次コイルと、半導体素子を含んで構成され該半導体素子に入力される制御電圧により出力電圧が可変調整される電圧調整回路とを備えてなるフライバックトランスにおいて、
前記一次コイルの高圧端側の電圧を電圧調整回路に印加して一次コイルを電圧調整回路の電圧調整範囲分の電圧を印加する電源コイルとして兼用させ、電圧調整回路の出力側には前記コアに対し二次側に巻かれて電圧調整回路で可変調整された電圧をフォーカス電圧に高める中圧コイルが接続されていることを特徴とするフライバックトランス。
【請求項４】
コアに巻装された一次コイルと二次コイルと、半導体素子を含んで構成され該半導体素子に入力される制御電圧により出力電圧が可変調整される電圧調整回路とを備えてなるフライバックトランスにおいて、
前記コアに対し二次側に中圧コイルを巻装し、この中圧コイルの一端側に逆向きダイオードを介して電圧調整回路の一端側が接続され、電圧調整回路の出力側は前記中圧コイルの低圧端側に接続されて、中圧コイルに、前記電圧調整回路に電圧調整範囲分の電圧を印加する電源コイルとしての機能と、電圧調整回路で可変調整された電圧をフォーカス電圧に高める昇圧コイルとしての機能を兼用させたことを特徴とするフライバックトランス。
【請求項５】
コアに巻装された一次コイルと二次コイルと、半導体素子を含んで構成され該半導体素子に入力される制御電圧により出力電圧が可変調整される電圧調整回路とを備えてなるフライバックトランスにおいて、
電圧調整回路には該電圧調整回路の電圧調整範囲分の電圧を発生して電圧調整回路に印加する電源が接続され、電圧調整回路の出力側には前記コアに対し二次側に巻かれて電圧調整回路で可変調整された電圧をフォーカス電圧に高める中圧コイルが接続されていることを特徴とするフライバックトランス。
【発明の詳細な説明】
【０００１】
【発明の属する技術分野】
本発明は、テレビジョン受像機やディスプレイ装置等の陰極線管にアノード電圧を供給するフライバックトランスに関する。
【０００２】
【従来の技術】
この種のフライバックトランスにおいて、フォーカス電圧やスクリーン電圧を可変調整する手段として、可変抵抗器を用いた機械的な調整手段に代えて、トランジスタ等の半導体素子を電圧調整素子として用いた電子的な調整手段が提案されている。
【０００３】
図１１は、この種の従来のフライバックトランスの一例を示す回路図である。このフライバックトランス１はコア２に一次コイル３とその外側に二次コイル４とを巻装してなり、一次コイル３の低圧端側には駆動電源（入力電源）から駆動電圧Ｂ＋が印加されている。また、一次コイル３の高圧端側にはコレクタ電圧が加えられている。
【０００４】
二次コイル４は複数段のコイル４ａ〜４ｅに分割され、各段のコイル４ａ〜４ｅは整流ダイオード５を介して直列に接続され、最終段のコイル４ｅの出力端は、最終段の高圧整流ダイオード５ｆを介して陰極線管６のアノードに接続されている。なお、各段のコイル４ａ〜４ｅは、図示されていない高圧ボビンに、絶縁フィルム等の絶縁材を介して積層巻きされている。
【０００５】
二次コイル４の中段とアース間には、抵抗Ｒ１，Ｒ２の直列回路と、抵抗Ｒ１，Ｒ２の接続点にコレクタが接続されエミッタが接地されたトランジスタＴｒとからなる電圧調整回路１０が接続されている。トランジスタＴｒは電圧調整素子として機能するものであり、ベースに接続された制御電圧入力端子Ｓ１には制御電圧が印加され、抵抗Ｒ１，Ｒ２の接続点（トランジスタＴｒのコレクタ）の電圧がフォーカス電圧Ｖｆとして出力されるように構成されている。
【０００６】
この構成においては、制御電圧入力端子Ｓ１に印加される制御電圧を可変することによりトランジスタＴｒのインピーダンスが変化して、制御電圧に対応してフォーカス電圧Ｖｆが変化することになる。すなわち、二次コイル４の中段から取り込まれた電圧は、抵抗Ｒ１と、抵抗Ｒ２及びトランジスタＴｒの並列回路のインピーダンスとの比に分圧されて、抵抗Ｒ１，Ｒ２の接続点からフォーカス電圧Ｖｆとして出力される。このフォーカス電圧Ｖｆは陰極線管６の図示されていないフォーカス電極に印加されている。
【０００７】
一般に、フォーカス電圧はアノード電圧に対し、２５％±２．５％の電圧が取り出されるようになっており、例えば、アノード電圧を２７ＫＶとした場合、フォーカス電圧はその２５％±２．５％とすると、６．７５±０．６７５ＫＶとなり、この電圧を得るために、図１１に示すように、二次コイル４を４ａ〜４ｅの５段構成とした場合には、低圧端から第２段目の中段から１０．８ＫＶの電圧が電圧調整回路１０に印加されることになる。
【０００８】
また、二次コイルの最上段の電圧すなわちアノード電圧を上記電圧調整回路に印加するようにした構成のものもある。
【０００９】
【発明が解決しようとする課題】
上記のように、従来のフライバックトランスにおいては、フォーカス電圧を出力するための電圧は二次コイル４の中段または最上段から取り込まれ、約１０ＫＶ以上の高電圧が電圧調整回路１０に印加されることとなり、電圧調整回路１０を構成する抵抗Ｒ１，Ｒ２及びトランジスタＴｒは、１０ＫＶ以上の高電圧に耐え得る耐圧及び絶縁耐圧の高いものが必要となり、さらには電圧調整回路１０全体の絶縁耐圧を高めるための手段を講じる必要があった。つまり、耐圧及び絶縁耐圧の優れた高価で大型の抵抗、トランジスタ等を必要とし、部品コスト及び製造コストが高くなるとともに、大型化するという問題があった。
【００１０】
また、約１０ＫＶ以上の高電圧を抵抗で分圧してフォーカス電圧を取り出しているので、消費電力が大きくなるという問題があった。
【００１１】
そこで、本発明の目的は、フォーカス電圧等の電圧調整回路に印加される電圧を低くすることにより、低コスト化及び小型化を図ることができるとともに、消費電力を低減することができる信頼性の高いフライバックトランスを提供することにある。
【００１２】
【課題を解決するための手段】
上記目的を達成するために、請求項１に係る発明は、コアに巻装された一次コイルと二次コイルと、半導体素子を含んで構成され該半導体素子に入力される制御電圧により出力電圧が可変調整される電圧調整回路とを備えてなるフライバックトランスにおいて、
前記一次コイルに巻き上げられて前記電圧調整回路の電圧調整範囲分の電圧を発生させる電源コイルと、この電源コイルで発生した電圧を可変調整する前記電圧調整回路と、前記コアの二次側に巻かれて前記電圧調整回路で可変調整された電圧をフォーカス電圧に高める中圧コイルとを有することを特徴とするものである。
【００１３】
請求項２に係る発明は、コアに巻装された一次コイルと二次コイルと、半導体素子を含んで構成され該半導体素子に入力される制御電圧により出力電圧が可変調整される電圧調整回路とを備えてなるフライバックトランスにおいて、
前記二次コイルの低圧端側に電圧調整回路が接続されて二次コイルが電圧調整回路に電圧調整範囲分の電圧を印加する電源コイルとして兼用されており、電圧調整回路の出力側には前記コアに対し二次側に巻かれて電圧調整回路で可変調整された電圧をフォーカス電圧に高める中圧コイルが接続されていることを特徴とするものである。
【００１４】
請求項３に係る発明は、コアに巻装された一次コイルと二次コイルと、半導体素子を含んで構成され該半導体素子に入力される制御電圧により出力電圧が可変調整される電圧調整回路とを備えてなるフライバックトランスにおいて、
前記一次コイルの高圧端側の電圧を電圧調整回路に印加して一次コイルを電圧調整回路の電圧調整範囲分の電圧を印加する電源コイルとして兼用させ、電圧調整回路の出力側には前記コアに対し二次側に巻かれて電圧調整回路で可変調整された電圧をフォーカス電圧に高める中圧コイルが接続されていることを特徴とするものである。
【００１５】
請求項４に係る発明は、コアに巻装された一次コイルと二次コイルと、半導体素子を含んで構成され該半導体素子に入力される制御電圧により出力電圧が可変調整される電圧調整回路とを備えてなるフライバックトランスにおいて、
前記コアに対し二次側に中圧コイルを巻装し、この中圧コイルの一端側に逆向きダイオードを介して電圧調整回路の一端側が接続され、電圧調整回路の出力側は前記中圧コイルの低圧端側に接続されて、中圧コイルに、前記電圧調整回路に電圧調整範囲分の電圧を印加する電源コイルとしての機能と、電圧調整回路で可変調整された電圧をフォーカス電圧に高める昇圧コイルとしての機能を兼用させたことを特徴とするものである。
【００１６】
請求項５に係る発明は、コアに巻装された一次コイルと二次コイルと、半導体素子を含んで構成され該半導体素子に入力される制御電圧により出力電圧が可変調整される電圧調整回路とを備えてなるフライバックトランスにおいて、
電圧調整回路には該電圧調整回路の電圧調整範囲分の電圧を発生して電圧調整回路に印加する電源が接続され、電圧調整回路の出力側には前記コアに対し二次側に巻かれて電圧調整回路で可変調整された電圧をフォーカス電圧に高める中圧コイルが接続されていることを特徴とするものである。
【００１７】
上記の構成において、電源コイルや電源により、電圧調整回路の電圧調整範囲分の電圧が発生されて電圧調整回路に印加される。電圧調整回路では、この電圧調整範囲分の電圧の範囲内において電圧を可変調整し、この可変調整された電圧は中圧コイルで昇圧されてフォーカス電圧として出力される。
【００１８】
なお、本発明に係る電圧調整回路は、トランジスタ等の半導体素子を含んで構成され、この半導体素子に印加される制御電圧により、電圧調整回路の出力電圧が可変調整されるように構成された電子式の電圧調整回路である。
【００１９】
すなわち、本発明は、電圧調整範囲分の電圧である低い電圧が電圧調整回路に印加されるように構成されており、電圧調整回路に印加される電圧を従来のものよりも大幅に低い電圧となるように構成したことを特徴としたものである。
【００２０】
したがって、電圧調整回路を構成する抵抗や半導体素子等の部品は、従来のものに比べ、耐圧及び絶縁耐圧の極めて低いものを用いることができ、かつ電圧調整回路全体の絶縁耐圧を高めるための種々の手段を省略でき、部品コスト、製造コストを低減するとともに小型化することができる。
【００２１】
また、抵抗などでネツエネルギーとして放散される無駄なエネルギーの浪費を防止でき消費電力の低減を図ることができる。
【００２２】
【発明の実施の形態】
以下、本発明をその実施例を示す図面に基づいて説明する。なお、以下の各実施例の説明において、各実施例相互間及び従来例と同一または同一機能のものについては同一符号を付し、その重複説明は省略する。
【００２３】
図１は本発明の第１実施例の係るフライバックトランスの回路図である。本実施例では、一次コイル３の高圧端側に電源コイル２１を巻き上げ、この電源コイル２１の巻き上げ端に整流ダイオード２２を介して、抵抗Ｒ１、Ｒ２及びトランジスタＴｒからなる電圧調整回路１０を接続し、この電圧調整回路１０に並列に平滑用コンデンサＣが接続されている。
【００２４】
本実施例では、電圧調整回路１０の電圧調整範囲分の電圧として例えばＤＣ２．５ＫＶが設定されており、電源コイル２１はコレクタパルスをＤＣ成分（直流成分）で２．５ＫＶの電圧が発生する巻回数だけ巻き上げて形成されており、この電源コイル２１で発生した電圧は整流ダイオード２２と平滑用コンデンサＣにより直流成分に変換されて、電圧調整回路１０に２．５ＫＶの直流電圧が印加されるようになっている。
【００２５】
高圧発生回路１０の抵抗Ｒ１、Ｒ２の接続点（電圧調整回路１０の出力端）には中圧コイル２３が接続されている。この中圧コイル２３はコア２の二次側に巻回されて、制御電圧入力端子Ｓ１に入力される制御電圧により可変調整された電圧（電圧調整回路１０の出力電圧）を昇圧してその出力端側からフォーカス電圧を出力するもので、この実施例において、例えば抵抗Ｒ１、Ｒ２の比を１：９に設定した場合、電圧調整回路１０の出力電圧をＤＣ５．１７５ＫＶ昇圧するようにその巻回数が設定されている。つまり、アノード電圧２７ＫＶ、フォーカス電圧６．７５±０．６７５ＫＶの設計値とした場合、トランジスタＴｒがＯＦＦの時、電圧調整回路１０の出力電圧は抵抗Ｒ１と抵抗Ｒ２とで分圧されて２．２５ＫＶとなり、フォーカス電圧の上限値が７．４２５ＫＶとなるように設定されている。
【００２６】
トランジスタＴｒがＯＮ状態の時は制御電圧によりトランジスタＴｒのインピーダンスが変化し、抵抗Ｒ１と、Ｒ２及びトランジスタＴｒの並列回路のインピーダンスとの比で分圧された電圧調整回路１０の出力電圧が得られる。
【００２７】
中圧コイル２３の出力電圧はダイオード２４を介して直流のフォーカス電圧として陰極線管のフォーカス電極に加えられるようになっている。
【００２８】
なお、電圧調整回路１０の出力電圧の下限値を限定するため、あるいはトランジスタＴｒの保護のために、トランジスタＴｒとアース間に抵抗を接続するようにしてもよい。
【００２９】
本実施例の回路構成によれば、電圧調整回路１０には電源コイル２１で発生した電圧調整範囲分の電圧が印加されるように構成されているため、電圧調整回路１０に印加される電圧は電源コイル２１の電圧分２．５ＫＶとなり、従来例の１０ＫＶ以上の電圧に比べ極めて低い電圧となる。したがって、電圧調整回路１０を構成する抵抗Ｒ１、Ｒ２及びトランジスタＴｒは、従来のものに比べ、耐圧及び絶縁耐圧の低いものでよく、また、電圧調整回路１０全体の絶縁耐圧も低くすることができる。つまり、耐圧及び絶縁耐圧の低い安価で小型の抵抗、トランジスタを用いることができ、外部絶縁耐圧を高めるための種々の手段を省略できるので、部品コスト、製造コストが低減されるとともに小型化されたものとなる。また、抵抗等で熱エネルギーとして放散される無駄なエネルギーの浪費を防止でき、消費電力の低減が図られている。
【００３０】
図２は本発明の第２実施例の係るフライバックトランスの回路図である。本実施例は、二次コイル４に電圧調整回路１０に電圧調整範囲分の電圧を印加するための電源コイルとしての機能を兼用させたことを特徴としており、それ以外は第１実施例と同様である。図において、二次コイル４の低圧端（４ａ）に電圧調整回路１０の入力端（抵抗Ｒ１）が接続され、二次コイル４（４ａ）で発生した電圧調整範囲分の電圧が平滑用コンデンサＣで平滑整流されて電圧調整回路１０に印加されるようになっている。そして、電圧調整回路１０から出力される電圧は、コア２の二次側に巻回された中圧コイル２３によってフォーカス電圧に昇圧されて出力される。
【００３１】
本実施例では、上記第１実施例と同様の効果を奏し、また、平滑用コンデンサＣと電圧調整回路１０の並列回路はスナバ回路として機能し、振動成分を除去してリンギングの発生（陰極線管の画面の縞模様の発生）を抑える作用をも行う。
【００３２】
次に、フライバックトランスの一次コイル３を電圧調整回路１０の電源コイルとして機能させた各種実施例を図３〜図７に示す。
【００３３】
図３は第３実施例に係るフライバックトランスの回路図である。本実施例は、一次コイル３と二次コイル４を共に電圧調整回路１０の電圧調整範囲分の電圧を発生させる電源コイルとして機能させたもので、二次コイル４の低圧端側に電圧調整回路１０の入力端を接続し、電圧調整回路１０と並列に平滑用コンデンサＣａ，Ｃｂの直列回路を接続している。そして、一次コイル３の高圧端側と平滑用コンデンサＣａ，Ｃｂの接続点とをダイオード２５を介して接続し、さらに、平滑用コンデンサＣａ，Ｃｂの接続点と二次コイル４の一段目のコイル４ａの出力端（巻終わり端）とをダイオード２６を介して接続している。
【００３４】
そして、電圧調整回路１０の出力端は、コア２の二次側に巻回した中圧コイル２３に接続され、中圧コイル２３の出力端からダイオード２４を介してフォーカス電圧が出力されるようになっている。
【００３５】
本実施例もコンデンサＣａ，Ｃｂと電圧調整回路でスナバ回路を構成し、リンギングの発生を防止する。本実施例も上記各実施例と同様な効果を奏する。
【００３６】
図４は第４実施例に係るフライバックトランスの回路図である。本実施例は、一次コイル３のみを電圧調整回路１０の電圧調整範囲分の電圧を発生する電源コイルとして機能させたものである。そのため、二次コイル４側と中圧コイル２３側とは完全に分離されており、電圧調整回路１０の入力端と中圧コイル２３の低圧端（巻始め端）との間には、逆向きのダイオード２７が介設され、また、平滑コンデンサＣａ，Ｃｂの接続点と中圧コイル２３の出力端との間には順方向のダイオード２８が接続されている。本実施例も上記各実施例と同様の効果を奏する。
【００３７】
図５は第５実施例に係るフライバックトランスの回路図である。本実施例は、第４実施例の構成にスクリーン電圧の電圧調整回路１１を付加したものである。このスクリーン電圧の電圧調整回路１１は、フォーカス電圧の電圧調整回路１０と同様の構成であり、抵抗Ｒ３、Ｒ４及びトランジスタＴｒ１からなり、トランジスタＴｒ１のベースにはスクリーン電圧を制御調整するための制御電圧が入力される制御電圧入力端子Ｓ２が接続され、その入力端（抵抗Ｒ３）は電圧調整回路１０の入力端に接続され、その出力端となる抵抗Ｒ３、Ｒ４の接続点からはスクリーン電圧Ｖｓが出力される。この電圧調整回路１１以外の構成は、図４に示した第４実施例のものと同様の構成であり、上記各実施例と同様の効果を奏する。
【００３８】
図６は第６実施例に係るフライバックトランスの回路図である。本実施例は、第５実施例と同様に第４実施例の構成にスクリーン電圧の電圧調整回路１１を付加したものである。本実施例の回路では、スクリーン電圧の電圧調整回路１１の入力端を平滑コンデンサＣａ，Ｃｂの接続点（ダイオード２５の出力端）に接続され、図５に示すものよりも、電圧調整回路１１に印加される電圧が低くなるように構成されている。
【００３９】
図７は第７実施例に係るフライバックトランスの回路図である。本実施例は、２つのフォーカス電圧を出力するいわゆるダブルフォーカスと呼ばれる回路図であり、図４に示した第４実施例の構成にもう一つのフォーカス電圧の回路を付加して構成されており、第１のフォーカス電圧Ｖｆ１の電圧調整回路１０と第２のフォーカス電圧Ｖｆ２の電圧調整回路１２が並列に接続されている。
【００４０】
第２の電圧調整回路１２も第１の電圧調整回路１０と同様の構成であり、抵抗Ｒ５、Ｒ６及びトランジスタＴｒ２からなり、トランジスタＴｒ２のベースには第２のフォーカス電圧Ｖｆ２を制御調整するための制御電圧が入力される制御電圧入力端子Ｓ３が接続され、その出力電圧は別の中圧コイル２９で昇圧されダイオード３０を介して第２のフォーカス電圧Ｖｆ２として出力されるようになっている。
【００４１】
本実施例の構成においても、電圧調整回路１０、１２にはいずれも電圧調整範囲分の電圧が印加されるように構成されており、上記各実施例と同様な効果を奏する。
【００４２】
なお、この第７実施例の回路に、第５及び第６実施例で説明したスクリーン電圧の電圧調整回路１１を付加することもできる。
【００４３】
次に、昇圧用の中圧コイル２３を、電圧調整回路１０に電圧調整範囲分の電圧を印加する電源コイルとして機能させた実施例を図８及び図９に示す。
【００４４】
図８は第８実施例に係るフライバックトランスの回路図である。本実施例は、中圧コイル２３の低圧端と電圧調整回路１０の入力端を逆向きのダイオード３１で接続し、電圧調整回路１０には、電圧調整回路１０に印加される電圧を直流にする平滑用コンデンサＣが並列に接続されている。そして、中圧コイル２３の出力端にはダイオード３３のカソード側が接続され、ダイオード３３のアノード側は接地されている。本実施例の回路も、中圧コイル２３が電源コイルとして機能し、中圧コイル２３で発生する電圧は平滑用コンデンサＣにより直流にされて電圧調整回路１０に電圧調整範囲分の電圧として印加されることとなり、電圧調整回路１０の出力電圧は中圧コイル２３で昇圧され、さらに、ダイオード２４で整流されて直流のフォーカス電圧Ｖｆとなって出力される。この構成においても、上記各実施例と同様の効果を奏する。
【００４５】
図９は第９実施例に係るフライバックトランスの回路図である。本実施例は、電圧調整回路１０の入力端を逆向きのダイオード３３を介して中圧コイル２３の出力端に接続し、中圧コイル２３の低圧端とアース間にダイオード３４を接続して構成されている。本実施例の回路も、中圧コイル２３が電圧調整回路１０に電圧調整範囲分の電圧を印加する電源コイルとして機能し、電圧調整回路１０の出力電圧を中圧コイル２３で昇圧し、ダイオード２４を介して直流のフォーカス電圧Ｖｆとして出力するものであり、上記各実施例と同様の効果を奏する。
【００４６】
次に、電圧調整回路１０に電圧調整範囲分の電圧として、別の電源を用いた実施例を図１０に示す。
【００４７】
図１０は、第１０実施例に係るフライバックトランスの回路図である。本実施例は、電圧調整回路１０の入力端に電圧調整範囲分の電圧を印加する電源３５を接続し、電圧調整回路１０の出力電圧を中圧コイル２３で昇圧し、ダイオード２４を介して直流のフォーカス電圧Ｖｆとして出力するものである。ダイオード２４の出力端側に接続された抵抗Ｒ、コンデンサＣはフォーカス電圧Ｖｆの交流成分（リップル）を低減するためのものであり、上記各実施例においても付加される場合がある。
【００４８】
本実施例においても、電源３５の電圧は電圧調整範囲分の低い電圧であり、上記各実施例と同様の効果を奏する。
【００４９】
なお、本発明は上記各実施例に限定されるものではない。例えば、上記各実施例では、電圧調整素子としてＮＰＮトランジスタを用いたもので説明したが、電圧調整素子はこれに限るものではなく、ＦＥＴ（電界効果トランジスタ）等の他の半導体素子であってもよいことは勿論である。また、電圧調整回路の回路構成も、上記実施例に限定されるものではなく、半導体素子を用いた様々な構成を採り得るものである。
【００５０】
【発明の効果】
以上説明したように、本発明に係るフライバックトランスによれば、電圧調整範囲分の低い電圧が電圧調整回路に印加されるように構成されており、電圧調整回路を構成する抵抗や半導体素子等の部品は、従来のものに比べ、耐圧及び絶縁耐圧の極めて低いものを用いることができ、かつ電圧調整回路全体の絶縁耐圧を高めるための種々の手段を省略でき、部品コスト、製造コストを低減するとともに小型化することができる。
【００５１】
また、抵抗などでネツエネルギーとして放散される無駄なエネルギーの浪費を防止でき消費電力の低減を図ることができる。
【００５２】
したがって、低コスト化、小型化を図ることができるとともに、消費電力を低減することができる信頼性の高いフライバックトランスを得ることができる。
【図面の簡単な説明】
【図１】本発明の第１実施例に係るフライバックトランスの回路図である。
【図２】本発明の第２実施例に係るフライバックトランスの回路図である。
【図３】本発明の第３実施例に係るフライバックトランスの回路図である。
【図４】本発明の第４実施例に係るフライバックトランスの回路図である。
【図５】本発明の第５実施例に係るフライバックトランスの回路図である。
【図６】本発明の第６実施例に係るフライバックトランスの回路図である。
【図７】本発明の第７実施例に係るフライバックトランスの回路図である。
【図８】本発明の第８実施例に係るフライバックトランスの回路図である。
【図９】本発明の第９実施例に係るフライバックトランスの回路図である。
【図１０】本発明の第１０実施例に係るフライバックトランスの回路図である。
【図１１】従来のフライバックトランスの回路図である。
【符号の説明】
１      フライバックトランス
２      コア
３      一次コイル
４      二次コイル
１０    電圧調整回路
２３    中圧コイル（昇圧コイル）
【図１】
0003694992.tif 000002
【図２】
0003694992.tif 000003
【図３】
0003694992.tif 000004
【図４】
0003694992.tif 000005
【図５】
0003694992.tif 000006
【図６】
0003694992.tif 000007
【図７】
0003694992.tif 000008
【図８】
0003694992.tif 000009
【図９】
0003694992.tif 000010
【図１０】
0003694992.tif 000011
【図１１】
0003694992.tif 000012